(57)【要約】【課題】  複数の画像が互いに見当合わせされる印刷機における見当合わせを正確にする。【解決手段】  １対のタワー３０，３２を有する印刷機６において、版胴４２，４８とブランケット胴４４，４６からなる印刷部組４０によって画像を印刷可能であり、２枚のウエブ２０，２２に８つの画像を形成して８ページの本５１を製造する。ブックモードにおいて、１つの版胴で形成される２つの画像、例えばウエブ２０のページＡ１とＡ８の画像を同時に見て検査し、版胴４２の見当を合わせ、ウエブ２０のページＡ２とＡ８の画像を同時に見て検査し、版胴４８の見当を合わせる。同様にウエブ２２のページＡ３とＡ６の画像を同時に見て検査し、ページＡ４とＡ５の画像を同時に見て検査し、それぞれに対応する版胴の見当を合わせる。その後、ページモードで各ページＡ１〜Ａ８ごとの特性を個別に調整する。【選択図】  図４
2004276615.tif 000002
【特許請求の範囲】
【請求項１】
少なくとも第１の胴の第１の画像と第１の胴の第２の画像を被印刷材に形成する第１の画像形成胴と、少なくとも第２の胴の第１の画像と第２の胴の第２の画像を前記被印刷材に形成する第２の画像形成胴とを有する印刷機の制御方法であって、
個別の複数のページを有する本に、前記第１の胴の第１の画像と、前記第１の胴の第２の画像と、前記第２の胴の第１の画像と、前記第２の胴の第２の画像を印刷するステップと、
前記操作者が前記本の前記第１の胴の第１の画像および前記第１の胴の第２の画像を有するページを同時に検査することと、前記第１の胴の第１の画像および前記第１の胴の第２の画像を形成する前記第１の画像形成胴の見当を変えることを可能にし、また、前記操作者が前記本の前記第２の胴の第１の画像および前記第２の胴の第２の画像を有するページを同時に検査することと、前記第２の胴の第１の画像および前記第２の胴の第２の画像を形成する前記第２の画像形成胴の見当を変えることも可能にする第１の操作モードを前記印刷機の操作者に与えるステップと、
前記本の個々の前記ページの特性を変える、前記第１の操作モードとは別の第２の操作モードを前記操作者に与えるステップとを含む制御方法。
【請求項２】
前記第２の操作モードにおいてインキ領域とインキつぼを調節することをさらに含む、請求項１に記載の制御方法。
【請求項３】
前記第２の操作モードにおいて前記特性を変える際に、前記第１の胴の第２の画像および前記第２の胴の第１の画像を共に変えることができる、請求項１に記載の制御方法。
【請求項４】
前記第１の操作モードは前記第２の操作モードの前に生じる、請求項１に記載の制御方法。
【請求項５】
前記第１の胴の第１の画像および前記第１の胴の第２の画像を有するページが、前記第１の操作モードの間にスキャンされ、前記第１の画像形成胴と関連づけられる、請求項１に記載の制御方法。
【請求項６】
前記印刷機は、複数の画像を形成する追加の画像形成胴を有し、前記第１の操作モードは、前記追加の画像形成胴で印刷された追加ページに対する見当の修正を可能にし、前記第２の操作モードは個々のページの修正を可能にする、請求項１に記載の制御方法。
【請求項７】
少なくとも第１の胴の第１の画像と第１の胴の第２の画像を被印刷材に形成する第１の画像形成胴と、
少なくとも第２の胴の第１の画像と第２の胴の第２の画像を前記被印刷材に形成する第２の画像形成胴と、
本の、前記第１の胴の第１の画像および前記第１の胴の第２の画像を有するページを同時に検査することを可能にする第１の操作モードを有する制御ユニットと、
前記第１の操作モード中に操作者による入力の関数として前記第１の画像形成胴の見当を調整する制御ユニットによって制御される第１の見当合わせユニットと、
前記第１の操作モード中に操作者による他の入力の関数として前記第２の画像形成胴の見当を調整する制御ユニットによって制御される第２の見当合わせユニットとを有し、
前記制御ユニットは、前記操作者が前記本の個々のページの特性を変えるための、前記第１の操作モードとは別の第２の操作モードを前記操作者に与えることもできる、印刷機。
【請求項８】
前記第１の画像形成胴用の第１のインキづけローラと、前記第２の画像形成胴用の第２のインキづけローラとをさらに有し、前記第１のインキづけローラは第１の胴の第１の画像のための第１のインキ排出部を有し、前記第２のインキづけローラは第２の胴の第１の画像のための第２のインキ排出部を有し、前記制御ユニットは、前記第２の操作モードにおいて前記第１および第２のインキ排出部を制御可能である、請求項７に記載の印刷機。
【請求項９】
前記制御ユニットは、印刷された本のページを受け取る分析テーブルと、前記本のページをスキャンするスキャニングユニットを有する、請求項７に記載の印刷機。
【請求項１０】
前記制御ユニットは、スキャンされた画像と比較するための、前記第１の画像形成胴と前記第２の画像形成胴に関するデータを記憶している、請求項７に記載の印刷機。
【請求項１１】
グラフィカル・ユーザー・インターフェースが、前記第１の操作モードと前記第２の操作モードのうちの一方を表示する、請求項７に記載の印刷機。
【請求項１２】
前記制御ユニットによって制御される折り機をさらに有する、請求項７に記載の印刷機。
【請求項１３】
オフセット平版ウエブ印刷機である、請求項７に記載の印刷機。
【発明の詳細な説明】
【技術分野】
【０００１】
本発明は、印刷機の見当を調整する装置および方法に関する。
【背景技術】
【０００２】
ここに引用して組み込む特許文献１は、輪転印刷機において、ウエブ材の印刷を制御パネルから制御する制御装置を記載している。特許文献１に記載されているように、操作者が印刷機から印刷製品を受け取り、その印刷製品を分析テーブルに置く。操作者は、様々な特性、例えば、適切な色であるか、インキがよく付いているか、見当は正しいかをチェックするために、印刷製品をぱらぱらとめくる。
【０００３】
例えば、各々が２画像分の幅の版胴を有している２つのタワーを有する印刷機として図２に概略的に示されている新聞紙印刷機１００が、一方のウエブ１０３にページＡ１，Ａ８およびＡ２，Ａ７を印刷し、他方のウエブ１０２にページＡ３，Ａ６およびＡ４，Ａ５を印刷して、８ページのフォーマットの４色の新聞紙を印刷する。ウエブ１０２，１０３は折り機１１０内で一括され、折り機１１０は新聞紙１０を形成するようにウエブ１０２，１０３を折って切断する。このように、２画像分の幅の版胴１２０は、例えば図３に示されているようにページＡ１，Ａ８に対してシアンの画像を印刷する。版胴１２２はページＡ２，Ａ７に対してシアンの画像を印刷し、一方、版胴１２４はページＡ３，Ａ６に対してシアンの画像を印刷し、版胴１２６はページＡ４，Ａ５に対してシアンの画像を印刷する。マゼンタ、イエロー、黒は、例えば他の印刷部組によって印刷することができる。
【０００４】
新聞紙の特性をチェックするために、操作者は新聞紙１０を１部取り出して分析テーブル上に置く。ページモードでは、操作者は、通常、ページＡ１からその特性のチェックを開始し、インク着けや見当の何らかの変更を行い、次に、ページをめくってページＡ２：Ａ３にしてこれらのページＡ２：Ａ３の両方の特性をチェックし、次にページＡ４：Ａ５をチェックし、次にページＡ６：Ａ７をチェックし、最後に最終ページＡ８をチェックする。
【特許文献１】米国特許第６１６７８０６号明細書
【発明の開示】
【発明が解決しようとする課題】
【０００５】
操作者がページモードにおいて例えば版胴１２０の横方向の見当を変えると、ページＡ１とＡ８の両方の見当がその影響を受ける。このように、ページモードで新聞紙１０をぱらぱらとめくる操作者がページＡ１のシアンの横方向の見当を修正すると、ページＡ１とページＡ８は同じ版胴で印刷されるのでページＡ１とページＡ８の両方の横方向の見当が変わることになる。操作者がページＡ８までめくって見当が合っていないことに気づくと、操作者は、既に修正されているのに再度ページＡ８の見当を修正するという誤りを犯すことがある。したがって、複数の版を用いる形式の版胴１２０がページＡ１とＡ８の両方の画像とともに横方向に移動することを示している図３に概略的に示すように、結局ページＡ１とＡ８の両方の画像の見当が合わなくなる。
【０００６】
２つのタワーを有する印刷機について上述したが、同じ問題が、複数の画像のうちのいくつかが互いに見当合わせされ、すなわち版胴上の各画像が独立して見当合わせできない、４画像分の幅を有する印刷機にも生じる。
【０００７】
本発明の目的は、使用者が、少なくとも２つの画像が互いに見当合わせされる、複数の版を用いる形式の印刷機において見当を正確に調節できるようにすることにある。
【０００８】
本発明のもう１つの、すなわち他の目的は、ページモード中に見当合わせの指示を間違って繰り返すことを減らすことにある。
【課題を解決するための手段】
【０００９】
本発明は、少なくとも第１の胴の第１の画像と第１の胴の第２の画像を被印刷材に形成する第１の画像形成胴と、少なくとも第２の胴の第１の画像と第２の胴の第２の画像を被印刷材に形成する第２の画像形成胴とを有する印刷機の制御方法であって、個別の複数のページを有する本に、第１の胴の第１の画像と、第１の胴の第２の画像と、第２の胴の第１の画像と、第２の胴の第２の画像を印刷するステップと、操作者が本の第１の胴の第１の画像および第１の胴の第２の画像を有するページを同時に検査することと、第１の胴の第１の画像および第１の胴の第２の画像を形成する第１の画像形成胴の見当を変えることを可能にし、また、操作者が本の第２の胴の第１の画像および第２の胴の第２の画像を有するページを同時に検査することと、第２の胴の第１の画像および第２の胴の第２の画像を形成する第２の画像形成胴の見当を変えることも可能にする第１の操作モードを印刷機の操作者に与えるステップと、本の個々のページの特性を変える、第１の操作モードとは別の第２の操作モードを操作者に与えるステップとを含む制御方法を提供する。
【００１０】
ここではブックモードと呼ぶ第１の操作モードを与えることによって、使用者は、２つ折りの紙の見当を合わせるために２つ折りの紙の一部をめくることができる。例えば、図１に示す８ページの本の場合、使用者は、ページＡ１：Ａ８を有する２つ折り紙を分析テーブルに置き、ページＡ１：Ａ８を印刷する版胴１２０の見当を変え、次にページＡ１：Ａ８を有する２つ折りの紙を側方に移動させ、ページＡ３：Ａ６を有する２つ折りの紙を分析テーブルに置き、版胴１２４の見当を変えることができる。それから、操作者は、ページＡ３：Ａ６を有する２つ折りの紙を裏返して、版胴１２６によってページＡ４：Ａ５の見当を変え、次に、ページＡ１：Ａ８を有する２つ折りの紙を取って来て、版胴１２２の見当を正しくするようにページＡ２：Ａ７を検査する。あるいは、操作者は、ページＡ１：Ａ８を有する２つ折りの紙を裏返してページＡ２：Ａ７をチェックし、次にその２つ折りの紙を、ページＡ３：Ａ６を有する２つ折りの紙を処理する前に捨てる場合もある。操作者は、正しい見当を保証するために、印刷機からチェック用の紙をもう１部取ってくる。
【００１１】
ブックモードでの見当が正しくなると、操作者は、ここではページモードと呼ぶ第２の操作モードに進むことができ、本の別のチェック用の紙を用いて、ページの画像を修正するためにインキ領域およびインキつぼと湿し領域とその他の特性を調整するために、通常のやり方でページＡ１からＡ８までぱらぱらとめくることができる。
【００１２】
本発明は、有利なことに、操作者が、版胴によって一度に印刷された実際の画像を見ることによって、多数の版を用いる形式の版胴の見当を修正できるようにし、それによって、ページモードで操作者にページの見当合わせを行わせることによって生じる混乱を低減することができる。
【００１３】
ブックモードはページモードの前が好ましい。
【００１４】
ブックモード中に分析テーブル上に置かれた２つ折りの紙を自動的に識別して、特定の画像形成胴に関連付けるのが好ましい。
【００１５】
印刷機は複数の画像を有する追加の画像形成胴を有し、ブックモードにおいて、追加の画像形成胴によって印刷された２つ折りの紙の見当を修正できるようにし、ページモードにおいて個々のページの修正を行えるようにするのが好ましい。
【００１６】
本発明は、少なくとも第１の胴の第１の画像と第１の胴の第２の画像を被印刷材に形成する第１の画像形成胴と、少なくとも第２の胴の第１の画像と第２の胴の第２の画像を被印刷材に形成する第２の画像形成胴と、本の、第１の胴の第１の画像および第１の胴の第２の画像を有するページを同時に検査することを可能にする第１の操作モードを有する制御ユニットと、第１の操作モード中に操作者による入力の関数として、第１の画像形成胴の見当を調整する制御ユニットによって制御される第１の見当合わせユニットと、第１の操作モード中に操作者による他の入力の関数として、第２の画像形成胴の見当を調整する制御ユニットによって制御される第２の見当合わせユニットとを有し、制御ユニットは、操作者が本の個々のページの特性を変えるための、第１の操作モードとは別の第２の操作モードを操作者に与えることもできる印刷機も提供する。
【００１７】
制御ユニットは、印刷された本のページを受け取る分析テーブルと、本のページをスキャンするスキャニングユニットを有するのが好ましい。ブックモードでは、制御ユニットが、スキャンされたページを識別して、それを画像形成胴のうちの１つと関連付けることができる。例えば、制御ユニットは、各画像形成胴上の画像を記憶することができ、ブックモード中に分析テーブル上でスキャンされた画像を、記憶されている画像と比較することができる。したがって、制御ユニットは、見当合わせの指令を送る、正しい見当合わせユニットを識別できる。
【００１８】
制御ユニットは、その時点の操作モードを表示しているユーザー・インターフェースからの入力を受け取ることができ、このユーザー・インターフェースは、操作者が操作モード、すなわちブックモードまたはページモードを選択できるようにする。
【００１９】
印刷機は、少なくとも２つの画像を互いに見当合わせする各画像形成胴用の横方向の見当合わせ装置を有していてもよい。複数の画像を有する画像形成胴上の複数の画像は、個々に見当合わせできないのが好ましい。
【００２０】
印刷機はオフセット平版ウエブ印刷機であり、画像形成胴は版胴であるのが好ましい。
【００２１】
ここで定義される画像形成胴は、版胴など、画像を付与するあらゆる種類の胴を含む。
【００２２】
なお、本明細書および特許請求の範囲では、「本」とは書籍のみならず新聞紙等も含むものである。
【発明を実施するための最良の形態】
【００２３】
以下、本発明の実施の形態について図面を参照して説明する。
【００２４】
図４は、ウエブ２０に印刷する第１のタワー３０とウエブ２２に印刷する第２のタワー３２を有する好適なオフセット平版印刷機６を示している。各タワー３０，３２は、例えば、マゼンタ、シアン、イエロー、および黒を印刷する４つの印刷部組を有していてもよい。見当合わせを明瞭に示すために２つのタワー３０，３２が示されているが、互いに見当合わせされる２つの画像を有し、折り機内にスリッタを有している４画像分の幅を持つ単一の印刷機を、同様の印刷物を製造するために用いることもできる。
【００２５】
印刷部組４０は、例えば、２画像分の幅の第１の版胴４２と、第１のブランケット胴４４と、第２のブランケット胴４６と、２画像分の幅の第２の版胴４８を有している。版胴４２，４８の各々は、見当合わせ装置５２，５８によって周方向および軸方向にそれぞれ見当合わせすることができる。見当合わせ装置が版胴全体を移動させるので、版上の２つの画像は個別に見当合わせできない。
【００２６】
湿しユニットと同様にインキユニット８２が各版胴に設けられている。
【００２７】
印刷されたウエブ２０，２２が折り機５０へ進み、折り機５０はウエブ３０と３２を一体にしてそれらを切断し、それらを例えば新聞用大判紙（ブロードシート）からなる８ページの本５１へと折り畳む。
【００２８】
しかしながら、折り機５０は、他の形態の本を製造することもでき、他の複数の印刷ユニットからのより多くのウエブを折り機５０に供給することもでき、様々なウエブの切断が行われる。
【００２９】
操作者７０は印刷された本５１を受け取り、本５１のチェック用の１部を制御ユニット６０の分析テーブル６２に持って行く。操作者７０は、例えばユーザー・インターフェース・パッドやタッチスクリーンやグラフィカル・ユーザー・インターフェースを用いて、制御ユニット６０のブックモードを選択することができる。次に、図５に示すように、ブックモードが選択されていることを操作者に知らせるために、ブックモードのための表示９２が、例えばアンダーラインが引かれることによって強調される。
【００３０】
ブックモードが一旦選択されると、どの組付けフォーマット（例えば８ページの新聞用大判紙）が印刷されているかを判っている制御ユニット６０は、図５に示すように、ページ対Ａ１：Ａ８、Ａ３：Ａ６、Ａ２：Ａ７、またはＡ４：Ａ５のうちのどのページ対を分析テーブル６２上に置くべきかを、ブロック９９内において操作者７０に知らせることができる。スキャナ６８が、正しいページ対が選択されていることを確認でき、各ページの各色に対応する版の位置を、例えば、ページＡ８用のシアンの版が、グラフィカル・ユーザー・インターフェース６４の位置９８に示されている通り版胴４２の正面側（操作側）にあり、ページＡ１用のシアンの版がグラフィカル・ユーザー・インターフェースの位置９７に示されている通り第１のタワー３０内の版胴４２の背後側（装置側）にあることを図で示すことができる。
【００３１】
したがって、操作者７０は、タッチスクリーン式の見当制御装置９６によって版胴４２の例えば周方向の見当を変えることができる。これは、ネットワーク８０、例えばイーサネット（商標）を基にしたネットワークと、印刷部組４０の各々に設けられている見当合わせ装置５２，５８によって、印刷機の各色の印刷部組４０に関して行うことができる。
【００３２】
ブックモードにおいて、全てのページ対Ａ１：Ａ８、Ａ２：Ａ７、Ａ３：Ａ６、およびＡ４：Ａ５の各色に関して、必要であれば軸方向と半径方向の両方に、一旦正しく見当合わせされたら、操作者７０は操作モードをページモードに切り替えることができる。引用によってここに組み入れる、本願と共通の譲受人に譲渡されている特許文献１にて述べられているように、このページモードにおいてさらなる修正を行うことができる。
【００３３】
本発明を、簡略のために２つの印刷タワー３０，３２について説明してきたが、それぞれが、並んでいる２対の画像が互いに見当合わせされその後にウエブが切断される、４画像分の幅の版胴を持つ単一の印刷タワーが、２つのタワー３０，３２を有する構造と同様に働くようにするであろうことが理解されるべきである。さらに、その他の構成も可能であり、本発明は、画像形成胴上の並んでいる２つの画像が個別に見当合わせできないその他の印刷機にも等しく適用できる。並んでいるこれらの画像からなる、本の複数のページは、離れていてもつながっていてもよい。
【００３４】
もしも操作者７０が、どの版胴がどのページに対応するのかを知っているならば、制御ユニット６０が操作者７０にどのページ対を分析テーブル６２上に置くべきかを知らせなくても、操作者７０は単にページ対をぱらぱらとめくるだけでよく、スキャナ６８が、ブロック９９に表示する正しいページ対を識別することができる。しかしながら、これは、３つ以上のウエブと、全てが本発明の範囲内に含まれている、３画像分以上の幅の版胴の場合には困難になり、制御ユニット６０が分析テーブル６２上に置くべき所望のページを表示するのが好ましい。
【００３５】
制御ユニット６０は、例えばインテルコーポレーションから市販されているプロセッサと、データ記憶ユニットを含んでいる。
【図面の簡単な説明】
【００３６】
【図１】従来の８ページの本を示す斜視図である。
【図２】従来の、８ページの本を印刷する複数の版を有する形式の版胴を備えている、２つのタワーを有するオフセットウエブ印刷機の概略図である。
【図３】従来の、軸方向、すなわち横方向に見当合わせされる複数の版を有する形式の版胴のうちの１つを示す概略図である。
【図４】本発明の制御ユニットを有するオフセット平版印刷機の概略図である。
【図５】本発明の制御ユニットのグラフィカル・ユーザー・インターフェースの概略図である。
【符号の説明】
【００３７】
１００      新聞紙印刷機
１０２，１０３      ウエブ
１１０      折り機
１２０，１２２，１２４，１２６      版胴
６          オフセット平版印刷機
１０        新聞紙
２０        ウエブ
２２        ウエブ
３０        第１のタワー
３２        第２のタワー
４０        印刷部組
４２        第１の版胴
４４        第１のブランケット胴
４６        第２のブランケット胴
４８        第２の版胴
５０        折り機
５１        本
５２，５８  見当合わせ装置
６０        制御ユニット
６２        分析テーブル
６４        グラフィカル・ユーザー・インターフェース
６８        スキャナ
７０        操作者
８０        ネットワーク
８２        インキユニット
９２        表示
９６        見当制御装置
９７，９８  位置
９９        ブロック
Ａ１〜Ａ８  ページ
【図１】
2004276615.tif 000003
【図２】
2004276615.tif 000004
【図３】
2004276615.tif 000005
【図４】
2004276615.tif 000006
【図５】
2004276615.tif 000007